(57)【要約】      （修正有）【課題】多数のホックが隙間なく密接したホックであって、空気遮断性や防水性に優れ、個々のホックを手で開閉でき、なおかつ磁石を使用しないものを提供する。【解決手段】複数のホックを有する第１テープ２と、複数のホックを有する第２テープ３とからなる密接ホック１である。第１テープの各ホック４は、第１テープに固定される基部と、基部から突出する係合部を有する。第２テープの各ホック５，６は、第２テープに固定される基部と、基部から突出する係合部を有する。第１、第２テープの係合部が相互に係合したとき、係合部同士が密接して実質的に隙間がなくなる。【選択図】図１
2014204772.tif 000002
【特許請求の範囲】
【請求項１】
複数のホック（４；７；９；７Ｃ）を有する第１テープ（２，２Ａ，２Ｂ，２Ｃ）と、複数のホック（５，６；８；１０，８Ｃ）を有する第２テープ（３，３Ａ，３Ｂ，３Ｃ）とからなる密接ホック（１，１Ａ，１Ｂ，１Ｃ）であって、
前記第１テープ（２，２Ａ，２Ｂ，２Ｃ）の各ホック（４；７；９，７Ｃ）は、前記第１テープ（２，２Ａ，2Ｂ，２Ｃ）に固定される基部と、前記基部から突出する係合部（４２；７１；９５，９６；７１Ｃ）を有し、
前記第２テープ（３，３Ａ，３Ｂ，３Ｃ）の各ホック（５，６；８，１０；８Ｃ）は、前記第２テープ（３，３Ａ，３Ｂ，３Ｃ）に固定される基部と、前記基部から突出する係合部（５１，５２，６１；７１；９３，９４；７１Ｃ）を有するものにおいて、
スライダーを使用しないで前記第１、第２テープの前記係合部を相互に係合させこと、及び、相互に係合したとき、前記係合部同士が密接して実質的に隙間がなくなること
を特徴とする密接ホック。
【請求項２】
前記雌側ホック（７，７Ｃ）と前記雄側ホック（８，８Ｃ）が同じ形状および構造であって、
前記第１、第２テープ（２Ａ，３Ａ；２Ａ，３Ｃ）の各係合側には、それぞれ「く」の字型表板（７１）又は横長湾曲長方形表板（７１Ｃ）が複数個テープに固着されており、
嵌合時に前記「く」の字型表板（７１）又は横長湾曲長方形表板（７１Ｃ）を１つずつずらすことにより、一方のテープの「く」の字型表板（７１）又は横長湾曲長方形表板（７１Ｃ）と、他方のテープの「く」の字型表板（７１）又は横長湾曲長方形表板（７１Ｃ）同士の隙間とがはまりあう請求項１記載の密接ホック。
【請求項３】
前記第１、第２テープ（２Ａ，３Ａ；２Ｃ，３Ｃ）の各係合側には、それぞれ前記「く」の字板（７１）又は横長湾曲長方形表板（７１Ｃ）が２個ずつ２本の細い橋（７２，７２Ｃ）により連結されており、この橋（７２，７２Ｃ）の延長線において前記「く」の字板（７１）又は横長湾曲長方形表板（７１Ｃ）に細い溝（７３，７３Ｃ）が刻まれており、前記橋（７２，７２Ｃ）と前記溝（７３，７３Ｃ）の高さは同じである請求項２記載の密接ホック。
【請求項４】
前記雌側ホック（９）と前記雄側ホック（１０）が同じ形状および構造であって、
前記第１、第２テープ（２Ｂ，３Ｂ）の各係合側には、３方向に切欠き（９２，９３，９４）と２つの爪（９５，９６）を有する表板（９１）が複数個テープに固着されており、
嵌合時に前記表板（９１）を少しずつずらすことにより、一方の切欠き（９３，９４）と、他方の爪（９５，９６）同士がはまりあう請求項１記載の密接ホック。
【請求項５】
前記第１テープ（２）の係合側には、複数の前記雌側ホック（４）が固定され、
前記第２テープ（３）の係合側には、長方形型ホック（５）と皿型ホック（６）の２種類で対になった、複数の前記雄側ホック（５，６）が交互に固定されており、
嵌合時に雄側の前記皿型ホック（６）が前記雌側ホック（４）と嵌合し、雄側の前記長方形型ホック（５）が前記雌側ホック（４）同士の間に入る請求項１記載の密接ホック。
【請求項６】
前記雌側ホック（４）の係合側はリング状の壁（４２）と底部（４３）からなる皿状であって、皿の底部（４３）では第１テープ（２）が露出しており、
前記長方形型ホック（５）は、長辺部において内側に湾曲する凹み（５１）を有し、
前記皿型ホック（６）は、窪み（６３）を有し、頭部の直径は、基部の直径よりもやや大きく膨出しており、
嵌合時に雄側の前記皿型ホック（６）の表板（６１）が前記雌側ホック（４）に入って底部（４３）に達し、雄側の前記長方形型ホック（５）が前記雌側ホック（４）同士の間に入り、前記長方形型ホック（５）の前記湾曲凹み（５１）に前記雌側ホック（４）の壁（４２）が入る請求項５記載の密接ホック。
【発明の詳細な説明】
【技術分野】
【０００１】
本発明は、多数のホックが密接してテープに取り付けられたホック（以下、「密接ホック」と略称する）に関する。本明細書において「ホック」とは広い意味で「連結具」を意味し、例えばスナップファスナ、ボタンを含むが、多数の務歯やコイルを有するいわゆるスライドファスナーは含まない。
【背景技術】
【０００２】
特開平１０―３３２１１や特開２００１―１４９１１７のテープ付きファスナは、雄側テープと雌側テープとからなるファスナを開示している。雄側テープは、合成樹脂製の雄部材の複数個を所定間隔で生地テープに成形固定している。雌側テープも合成樹脂製の雌部材の複数個を前記雄部材と同一間隔で生地テープに成形固定している。両テープとも取付孔を穿設することなくそれぞれ雄部材、雌部材を射出成形して固定している。
【先行技術文献】
【特許文献】
【０００３】
【特許文献１】特開平１０―３３２１１
【特許文献２】特開２００１―１４９１１７
【発明の概要】
【発明が解決しようとする課題】
【０００４】
上記従来技術は、各ファスナ部材の間の隙間が広くて空気遮断性や防水性に欠けるので、例えば防寒着などに使用するのに適当ではない。各雄部材、雌部材を間をあけないように設定しようとしても成形金型設置上の制約があるため、一定以上には接近させることができない。
【０００５】
本発明は、多数のホックが隙間なく密接させたホックであって、空気遮断性や防水性に優れ、しかも個々のホックを手で開閉できるものを提供することを目的とする。
【課題を解決するための手段】
【０００６】
本発明の密接ホックは、複数のホックを有する第１テープと、複数のホックを有する第２テープとからなる密接ホックであって、前記第１テープの各ホックは、前記第１テープに固定される基部と、前記基部から突出する係合部を有し、前記第２テープの各ホックは、前記第２テープに固定される基部と、前記基部から突出する係合部を有するものにおいて、スライダーを使用しないで前記第１、第２テープの前記係合部を相互に係合させこと、及び、相互に係合したとき、前記係合部同士が密接して実質的に隙間がなくなることを特徴とする（請求項1）。
【０００７】
ここで「基部」とは各ホックとテープが接合する位置をいう。「係合」とは広い意味で「接合」することをいい、「嵌め合い」（ただしスライドファスナーによる務歯の嵌め合いは含まない）、「引っかけ」、「接着」、「付着」、「吸引」、「追従」等の態様がある。「実質的に隙間がなくなる」とは、雌雄テープが結合した状態で、特に外部から力を加えなければ各ホックの間に１ｍｍ、好ましくは０．５ｍｍを超える隙間がないことをいう。
【０００８】
ある実施態様（後記実施例２参照）では、前記雌側ホック（７，７Ｃ）と前記雄側ホック（８，８Ｃ）が同じ形状および構造であって、前記第１、第２テープ（２Ａ，３Ａ；２Ａ，３Ｃ）の各係合側には、それぞれ「く」の字型表板（７１）又は横長湾曲長方形表板（７１Ｃ）が複数個テープに固着されており、嵌合時に前記「く」の字型表板（７１）又は横長湾曲長方形表板（７１Ｃ）を１つずつずらすことにより、一方のテープの「く」の字型表板（７１）又は横長湾曲長方形表板（７１Ｃ）と、他方のテープの「く」の字型表板（７１）又は横長湾曲長方形表板（７１Ｃ）同士の隙間とがはまりあう（請求項２）。
【０００９】
このとき、前記第１、第２テープ（２Ａ，３Ａ；２Ｃ，３Ｃ）の各係合側には、それぞれ前記「く」の字板（７１）又は横長湾曲長方形表板（７１Ｃ）が２個ずつ２本の細い橋（７２，７２Ｃ）により連結されており、この橋（７２，７２Ｃ）の延長線において前記「く」の字板（７１）又は横長湾曲長方形表板（７１Ｃ）に細い溝（７３，７３Ｃ）が刻まれており、前記橋（７２，７２Ｃ）と前記溝（７３，７３Ｃ）の高さは同じである（請求項３）。
【００１０】
別の実施態様（後記実施例３参照）では、前記雌側ホック（９）と前記雄側ホック（１０）が同じ形状および構造であって、前記第１、第２テープ（２Ｂ，３Ｂ）の各係合側には、３方向に切欠き（９２，９３，９４）と２つの爪（９５，９６）を有する表板（９１）が複数個テープに固着されており、嵌合時に前記表板（９１）を少しずつずらすことにより、一方の切欠き（９３，９４）と、他方の爪（９５，９６）同士がはまりあう（請求項４）。
【００１１】
別の実施態様（後記実施例１参照）では、前記第１テープ（２）の係合側には、複数の前記雌側ホック（４）が固定され、前記第２テープ（３）の係合側には、長方形型ホック（５）と皿型ホック（６）の２種類で対になった、複数の前記雄側ホック（５，６）が交互に固定されており、嵌合時に雄側の前記皿型ホック（６）が前記雌側ホック（４）と嵌合し、雄側の前記長方形型ホック（５）が前記雌側ホック（４）同士の間に入る（請求項５）。
【００１２】
このとき、前記雌側ホック（４）の係合側はリング状の壁（４２）と底部（４３）からなる皿状であって、皿の底部（４３）では第１テープ（２）が露出しており、前記長方形型ホック（５）は、長辺部において内側に湾曲する凹み（５１）を有し、前記皿型ホック（６）は、窪み（６３）を有し、頭部の直径は、基部の直径よりもやや大きく膨出しており、嵌合時に雄側の前記皿型ホック（６）の表板（６１）が前記雌側ホック（４）に入って底部（４３）に達し、雄側の前記長方形型ホック（５）が前記雌側ホック（４）同士の間に入り、前記長方形型ホック（５）の前記湾曲凹み（５１）に前記雌側ホック（４）の壁（４２）が入る（請求項６）。
【発明の効果】
【００１３】
請求項1の発明によると、多数のホックからなる密接ホックが得られる。この密接ホックは、個々のホックを使用者が手で開閉できる。この密接ホックは、各ホックが密接しているので、隙間風や風雨が入ることがなく、防寒着などに使用可能である。また、使用者が個々のホックをどの場所からでも簡単に開閉できるので、生地その他を挟み込んでも修復が容易である。さらに、磁石を使用しないので、磁力に起因するさまざまなトラブルを避けられる。
【００１４】
請求項２，３の発明によると、本願実施例２，４の製品が得られる。
【００１５】
請求項４の発明によると、本願実施例３の製品が得られる。
【００１６】
請求項５，６の発明によると、本願実施例１の製品が得られる。
【００１７】
以下、添付の図面に基づき本発明の実施例を説明する。
【図面の簡単な説明】
【００１８】
【図１】本発明の第１実施例に係るテープ状密接ホックの斜視図である。
【図２】雌側テープ状ホックの（ａ）は非係合側正面図、（ｂ）は係合側正面図、（ｃ）は側面図、（ｄ）は縦断面図である。
【図３】雄側テープ状ホックの（ａ）は係合側正面図、（ｂ）は非係合側正面図、（ｃ）は側面図、（ｄ）は縦断面図である。
【図４】雌雄テープ状ホックの（ａ）は係合前の縦断面図、（ｂ）は係合後の縦断面図である。
【図５】本発明の第１実施例に係るテープ状密接ホックの１使用状態を示す斜視図である。
【図６】本発明の第２実施例に係るテープ状密接ホックの斜視図である。
【図７】雌雄共通テープ状ホックの（ａ）は係合側正面図、（ｂ）は非係合側正面図（背面図）、（ｃ）は側面図、（ｄ）は平面図、（ｅ）は底面図、（ｆ）はｆ−ｆ縦断面図、（ｇ）はｇ−ｇ縦断面図である。
【図８】雌雄テープ状密接ホックの（ａ）は係合前の縦断面図、（ｂ）は係合後の縦断面図である。
【図９】本発明の第２実施例に係るテープ状密接ホックの１使用状態を示す斜視図である。
【図１０】本発明の第３実施例に係るテープ状密接ホックの斜視図である。
【図１１】雌雄共通テープ状ホックの（ａ）は係合側正面図、（ｂ）は非係合側正面図（背面図）、（ｃ）は平面図、（ｄ）は底面図、（ｅ）は側面図、（ｆ）はｆ−ｆ横断面図、（ｇ）はｇ−ｇ横断面図、（ｈ）はｈ−ｈ縦断面図である。
【図１２】拡大した雌雄テープ状密接ホックの（ａ）は係合前の断面図、（ｂ）は係合後の断面図である。
【図１３】雌雄テープ状密接ホックの（ａ）は係合前の縦断面図、（ｂ）は係合後の縦断面図である。
【図１４】本発明の第３実施例に係るテープ状密接ホックの１使用状態を示す斜視図である。
【図１５】本発明の第４実施例に係るテープ状密接ホックの斜視図である。
【図１６】雌雄共通テープ状ホックの（ａ）は係合側正面図、（ｂ）は非係合側正面図（背面図）、（ｃ）は側面図、（ｄ）は平面図、（ｅ）は底面図、（ｆ）はｆ−ｆ断面図、（ｇ）はｇ−ｇ断面図である。
【図１７】雌雄テープ状密接ホックの（ａ）は係合前の縦断面図、（ｂ）は係合後の縦断面図である。
【図１８】本発明の第４実施例に係るテープ状密接ホックの１使用状態を示す斜視図である。
【実施例１】
【００１９】
図１〜図５は本発明の第１実施例に係る密接ホック１である。
【００２０】
図１に示すように、一対のテープ２，３のそれぞれに複数の雌側ホック４と複数の雄側ホック５，６が固定されている。雌側ホック４の１個に対して、後記する２種類の雄側ホック５，６がそれぞれ１個ずつ対応する。
【００２１】
図２により雌側ホック４を詳しく見ると、非係合側（ａ）は円板状裏面４１であり、係合側ではリング状の壁４２と底部４３からなる皿状であって、皿の底部４３ではテープ２が露出している。皿の内側縁４４は角が取れて斜面となっている。係合側の直径の方が非係合側の直径よりもやや大きい。
【００２２】
各ホック４はテープ２に対して射出成形により一体成形するのが好ましい。テープ生地としては、溶融されることなく溶融樹脂が織目や編目を通じて透過する生地であることが必要で、織物でも編物でもよく、例えば木綿生地、混紡生地等を採用することができる。合成樹脂としては、熱可塑性樹脂、例えばポリアセタール溶融樹脂を使用することができる。なお、以下で説明する各種ホック部品もこれと同様の方法により形成される。
【００２３】
雄側ホックは、図３に表されているように、長方形型５と皿型６の２種類あり、交互に並んでいる。
【００２４】
長方形型ホック５は、長辺部において内側に湾曲する凹み５１を有するので、係合側（ａ）の表板５２も非係合側（ｂ）の裏板５３も、けん玉の受け部側面のような外観を有する。非係合側（ｂ）の中央には成形時のピンにより生じた浅い窪み５４がある。
【００２５】
皿型ホック６は、係合側（ａ）の表部材６１も非係合側（ｂ）の裏部材６２も皿状であるが、窪み６３，６４は浅い。非係合側の窪み６４は成形時のピンにより生じたものである。皿型ホック６は結合時に係合凸部となる部分であり、係合頭部の直径は、基部の直径よりもやや大きく膨出している。
【００２６】
図３（ｃ）の側面図や（ｄ）の縦断面図からわかるように、係合側（ａ）では皿型ホック６の高さの方が長方形型ホック５の高さよりも高い。
【００２７】
雌雄の密接ホック４；５，６を指で押して係合させると、図４（ａ）の状態から（ｂ）の状態になり、次のように嵌合が生じている。すなわち、雄側の皿型ホック６の表板６１が雌側皿型ホック４に入って底部４３に達し、雄側の長方形型ホック５が雌側皿型ホック４同士の間に入る。このとき、長方形型ホック５の湾曲凹み５１に雌側皿型ホック４の壁４２が入る。
【００２８】
結果として、雌雄の密接ホック４；５，６が結合すると、図４（ｂ）に示すように、嵌合部では隙間がほとんどない完全密着状態となる。
【００２９】
本発明の密接ホックはたとえば図５に示すように衣服のファスナとして使用可能である。この実施例の密接ホックは特に雄側のホックの形状が独特奇抜であり、視覚的な意外性を楽しむことができる。また、スライダーを使用しないで指で開閉するので、必要個所のみ開放して内ポケットに手を入れるというようなことができる。
【実施例２】
【００３０】
図６〜図９は本発明の第２実施例に係る密接ホック１Ａである。
【００３１】
図６に示すように、一対のテープ２Ａ，３Ａのそれぞれに複数の雌側ホック７と複数の雄側ホック８が固定されている。雌側ホック７の１個に対して、雄側ホック８が１個対応する。
【００３２】
第１実施例と異なり、第２実施例で使用する雌側ホック７と雄側ホック８は同じものであるので、図７において、まとめて説明する。
【００３３】
係合側（ａ）を見ると、ブーメランのような「く」の字型表板７１が複数枚テープに固着されており、この「く」の字板２個ずつが２本の細い橋７２により連結されている。この橋７２の延長線において「く」の字板に細い溝７３が刻まれており、橋７２と溝７３の高さは同じである。この高さは、「く」の字型表板７１の高さの約１/２である。「く」の字型表板７１の中央部にはテープに達する穴７４が設けられている。
【００３４】
非係合側（ｂ）を見ると、連結された２個の「く」の字型裏板７５は細い橋ではなく、太い接続板７６により連結されている。「く」の字型裏板７５の中央部には成形時のピンに生じた浅い窪み７７がある。
【００３５】
この雌雄共通ホックを指で押して係合させると、図８（ａ）の状態から（ｂ）の状態になり、次のように嵌合が生じている。すなわち、図６の矢印に示すように、雌雄共通ホックの「く」の字型表板７１を１つずつずらすことにより、一方の「く」の字型表板７１と、他方の「く」の字型表板７１同士の隙間とがはまりあうのである。このとき雌雄共通ホックの「く」の字型表板７１を１つずつずらすことにより、一方の「く」の字型表板７１の橋７２または溝７３と、他方の「く」の字型表板７１の橋７２または溝７３が接する。
【００３６】
結果として、雌雄共通密接ホック７，８（７）が結合すると、図８（ｂ）に示すように、隙間がほとんどない完全密着状態となる。
【００３７】
本発明の密接ホックはたとえば図９に示すように衣服のファスナとして使用可能である。この実施例の密接ホックもホックの形状が独特奇抜であり、視覚的な意外性を楽しむことができる。
【実施例３】
【００３８】
図１０〜図１４は本発明の第３実施例に係る密接ホック１Ｂである。
【００３９】
図１０に示すように、一対のテープ２Ｂ，３Ｂのそれぞれに複数の雌側ホック９と複数の雄側ホック１０が固定されている。（実際は両方とも雌雄部材を有するので「雌側」「雄側」というのは適当でないが、説明の便宜上このように名づけた。）雌側ホック９の１個に対して、雄側ホック１０がそれぞれ１個ずつ対応する。
【００４０】
第２実施例と同様、第３実施例で使用する雌側ホック９と雄側ホック１０は同じものであるので、図１１において、まとめて説明する。
【００４１】
係合側（ａ）から見ると、羽を半ば畳んだ鷲のような形の表板９１が複数枚テープに固着されている。この表板９１は、３方向に切欠き９２，９３，９４を有する円板であり、見方を変えれば左右の爪９５，９６を有するＴ字型にも見える。上方の切欠き９２により左右の爪９５，９６が形成され、左右斜め下方の切欠き９３，９４によりＴ字が形成されている。図１１（ａ）（ｅ）（ｈ）などからわかるように、切欠き壁部は垂直な切り落としではなく、段部９７，９８が形成されている。非係合側（ｂ）から見ると、角が丸められた円板９９である。
【００４２】
この雌雄共通ホック９，１０を指で押して係合させると、図１３（ａ）の状態から（ｂ）の状態になり、次のように嵌合が生じている。すなわち、拡大した図１２に示すように、左右の爪９５，９６が左右斜め下方の切欠き９３，９４にはまる。この時、相互の段部９７，９８同士も接触する。
【００４３】
結果として、雌雄共通密接ホック９，１０（９）が結合すると、図１３（ｂ）に示すように、隙間がほとんどない完全密着状態となる。
【００４４】
本発明の密接ホックはたとえば図１４に示すように衣服のファスナとして使用可能である。この実施例の密接ホックもホックの形状が独特奇抜であり、視覚的な意外性を楽しむことができる。
【実施例４】
【００４５】
図１５〜図１８は本発明の第４実施例に係る密接ホック１Ｃである。
【００４６】
図１５に示すように、一対のテープ２C，３Ｃのそれぞれに複数の雌側ホック７Ｃと複数の雄側ホック８Ｃが固定されている。雌側ホック７Ｃの１個に対して、雄側ホック８Ｃが１個対応する。
【００４７】
第２実施例と同様、第４実施例で使用する雌側ホック７Ｃと雄側ホック８Ｃは同じものであるので、図１６において、まとめて説明する。
【００４８】
係合側（ａ）を見ると、やや湾曲した横長長方形の表板７１Ｃが複数枚テープに固着されており、この横長長方形表板２個ずつが２本の細い橋７２Ｃにより連結されている。この橋７２Ｃの延長線において横長長方形表板に細い溝７３Ｃが刻まれており、橋７２Ｃと溝７３Ｃの高さは同じである。この高さは、横長長方形表板７１Ｃの高さの約１/２である。横長長方形表板７１Ｃの中央部にはテープに達する穴７４Ｃが設けられている。
【００４９】
非係合側（ｂ）を見ると、縦長長方形の裏板７５Ｃからなり、橋は存在しない。縦長長方形裏板７５Ｃの上下部には成形時のピンに生じた浅い窪み７７Ｃがある。
【００５０】
この雌雄共通ホックを指で押して係合させると、図１７（ａ）の状態から（ｂ）の状態になり、次のように嵌合が生じている。すなわち、図１７の矢印に示すように、雌雄共通ホックの横長長方形表板７１Ｃを１つずつずらすことにより、一方の横長長方形表板７１Ｃと、他方の横長長方形表板７１Ｃ同士の隙間とがはまりあうのである。このとき雌雄共通ホックの横長長方形表板７１Ｃを１つずつずらすことにより、一方の横長長方形表板７１Ｃの橋７２Ｃまたは溝７３Ｃと、他方の横長長方形表板７１Ｃの橋７２Ｃまたは溝７３Ｃが接する。
【００５１】
結果として、雌雄共通密接ホック７Ｃと８Ｃ（７Ｃ）が結合すると、図１７（ｂ）に示すように、隙間がほとんどない完全密着状態となる。
【００５２】
本発明の密接ホックはたとえば図１８に示すように衣服のファスナとして使用可能である。この実施例の密接ホックもホックの形状が独特奇抜であり、視覚的な意外性を楽しむことができる。
【符号の説明】
【００５３】
１，１Ａ，１Ｃ       密接ホック
２，２Ａ，２Ｃ       一方のテープ
３，３Ａ，３Ｃ       他方のテープ
４     雌側ホック
４１   円板状裏面
４２   壁
４３   底部
４４   内側縁
５     雄側長方形型ホック
５１ 長辺部の湾曲凹み
５２ 表板
５３ 裏板
６     雄側皿型ホック
６１ 表部材
６２ 裏部材
７，７Ｃ      雌側ホック
７１   「く」の字型表板
７１Ｃ  横長湾曲長方形表板
７２，７２Ｃ  橋
７３，７３Ｃ    溝
７４   穴
７５   「く」の字型裏板
７５Ｃ  縦長枠局長方形裏板
７６   接続板
８，８Ｃ      雄側ホック
９  雌側ホック
１０（９）    雄側ホック
９１   表板
９２，９３，９４  切欠き
９５，９６    爪
９７，９８    段部
９９   円板
【図１】
2014204772.tif 000003
【図２】
2014204772.tif 000004
【図３】
2014204772.tif 000005
【図４】
2014204772.tif 000006
【図５】
2014204772.tif 000007
【図６】
2014204772.tif 000008
【図７】
2014204772.tif 000009
【図８】
2014204772.tif 000010
【図９】
2014204772.tif 000011
【図１０】
2014204772.tif 000012
【図１１】
2014204772.tif 000013
【図１２】
2014204772.tif 000014
【図１３】
2014204772.tif 000015
【図１４】
2014204772.tif 000016
【図１５】
2014204772.tif 000017
【図１６】
2014204772.tif 000018
【図１７】
2014204772.tif 000019
【図１８】
2014204772.tif 000020